(57)【要約】【課題】ハト小屋の壁面に装着するフードボックスの装着作業を簡略化して、一人の作業員でも安全且つ容易に行うことができる屋上設置用フードボックスを提供する。【解決手段】取付枠１０、側板２０、底板３０、上蓋４０、前蓋５０にて、ハト小屋Ｐの壁面Ｐ１へ装着する屋上設置用フードボックスを設ける。ハト小屋Ｐの壁面Ｐ１へ固定する取付枠１０に、左右の側板２０の端部とネジ止めするネジ孔１１を複数個開穿する。該ネジ孔１１のいずれかひとつを切り欠き状に設けて切欠きネジ孔１２を形成する。該切欠きネジ孔１２にネジ止めする位置の側板２０端部のネジ孔２１に、予め連結ボルト１を装着する。該連結ボルト１を切欠きネジ孔１２に側面からスライド挿入して側板２０を仮止めするように設ける。【選択図】  図２
2008127797.tif 000002
【特許請求の範囲】
【請求項１】
取付枠、側板、底板、上蓋、前蓋、にて構成され、ハト小屋の壁面へ装着する屋上設置用フードボックスにおいて、ハト小屋の壁面へ固定する取付枠に左右の側板の端部とネジ止めするネジ孔を複数個開穿し、該ネジ孔のいずれかひとつを切り欠き状に設けて切欠きネジ孔を形成すると共に、該切欠きネジ孔にネジ止めする位置の側板端部のネジ孔に、予め連結ボルトと板ナットとを装着し、該連結ボルトを切欠きネジ孔に側面からスライド挿入するように設けたことを特徴とする屋上設置用フードボックス。
【請求項２】
前記取付枠は、アンカーボルトにて壁面に固定する断面略Ｌ字形状を成した当て板と、該当て板に固着され、壁面から離れた位置で前記側板をネジ止めする連結板とで形成され、該連結板の左右にそれぞれ複数個のネジ孔を縦並びに設けると共に該ネジ孔を縦長孔状に開穿し、一方、前記側板は、側板の内側に屈曲形成された周囲縁を設け、該周囲縁に、取付枠、側板、底板、上蓋、前蓋、の各ネジ孔に対応するネジ孔が開穿され、後部周囲縁の内側に、取付枠の連結板を重合してネジ止めするように設けた請求項１記載の屋上設置用フードボックス。
【請求項３】
前記底板は、前記側板の下部周囲縁上に載置する係止片を有した平面略コ字状に形成され、該係止片を下部周囲縁上にネジ止めした後、前記前蓋を側板の前部周囲縁にネジ止めするように設けた請求項１又は２記載の屋上設置用フードボックス。
【請求項４】
前記上蓋は、上蓋の下側に屈曲形成された周囲縁を設け、該周囲縁にて、取付枠、側板、前蓋の上端部を取り囲むように嵌合し、上蓋の上面と側板の上部周囲縁とをネジ止めするように設けた請求項１乃至３いずれか記載の屋上設置用フードボックス。
【発明の詳細な説明】
【技術分野】
【０００１】
本発明は、ビル建築物の屋上に設置され、電気・空調設備のケーブルや冷媒管を専用のラックで屋上から室内へ引き込む際に、屋上防水対策として設けられた通称ハト小屋に装着するもので、このハト小屋の壁面への装着作業を簡略化することができる屋上設置用フードボックスに関する。
【背景技術】
【０００２】
ビル建築物の屋上に設置される配線・配管用のハト小屋は、屋上スラブを貫通する配管等の雨仕舞いを良好にすることを目的として設置されている。このハト小屋の壁面には、専用のラック等を貫通させる開口部が設けられており、この開口部から雨水等が浸水しないように止水効果のあるフードボックスが取り付けられている。
【０００３】
従来のフードボックスは、ハト小屋に固定する取付枠と、この取付枠に装着する側板や上蓋等の部品で構成されている。そして、これらの部品を組み付ける施工手順として、まず、ハト小屋のコンクリート壁面へ位置決め後、アンカーボルトで取付枠を固定する。次に、左右の側板を、六角ボルト、座金、板ナットで取付枠に取り付け、この側板に上蓋等を装着するものである。
【０００４】
一方、ハト小屋に関する出願として、特許文献１に記載の出願がある。この特許文献１は屋上スラブ貫通埋込みユニット用スリーブに関する出願である。
【特許文献１】実開平５‐６９２３３号公報
【発明の開示】
【発明が解決しようとする課題】
【０００５】
従来のフードボックスを使用すると、側板の取り付け作業において、側板のどこか１箇所を取付枠にボルトで固定するまでは、側板の各ボルト孔の位置が確定しない不安定な状態になっている。すなわち、従来のフードボックスで使用する取付枠は、溶融亜鉛めっき仕上げを施しているため、めっきの垂れや付着膜厚等を考慮し、取付枠と側板との取り付け部分にクリアランス（隙間）を設けている。そのため、側板のどこか１箇所をボルトで固定するまでは、取付枠のネジ孔と側板のネジ孔との位置が決定しないため、この最初のボルト固定作業が極めて不安定な作業になっていた。この結果、取付け作業中に側板が落下する恐れもあった。したがって、従来の作業では、一人の作業員が側板を持ち上げて保持し、他の作業員がボルト・ナットを固定するという二人がかりの作業になっていた。
【０００６】
一方、特許文献１で示される屋上スラブ貫通埋込みユニット用スリーブは、配管と開口出口との間を完全に固定せず、相互の動きを許容するようにしたハト小屋用のスリーブを提供するものである。したがって、特許文献１に記載の技術手段では、従来のフードボックスの装着を容易にすることはできない。
【０００７】
そこで、本発明は、上述の課題を解消すべく創出されたもので、ハト小屋の壁面に装着するフードボックスの装着作業を簡略化して、一人の作業員でも安全且つ容易に行うことができ、しかも、止水効果が高く屋上防水対策を確実にする屋上設置用フードボックスの提供を目的とするものである。
【課題を解決するための手段】
【０００８】
上述の目的を達成すべく本発明における第１の手段は、取付枠１０、側板２０、底板３０、上蓋４０、前蓋５０、を有し、ハト小屋Ｐの壁面Ｐ１へ装着する屋上設置用フードボックスにおいて、ハト小屋Ｐの壁面Ｐ１へ固定する取付枠１０に左右の側板２０の端部とネジ止めするネジ孔１１を複数個開穿し、該ネジ孔１１のいずれかひとつを切り欠き状に設けて切欠きネジ孔１２を形成すると共に、該切欠きネジ孔１２にネジ止めする位置の側板２０端部のネジ孔２１に、予め連結ボルト１を装着し、該連結ボルト１を切欠きネジ孔１２に側面からスライド挿入するように設けたことにある。
【０００９】
第２の手段の前記取付枠１０は、アンカーボルト２にて壁面Ｐ１に固定する断面略Ｌ字形状を成した当て板１３と、該当て板１３に固着され、壁面Ｐ１から離れた位置で前記側板２０をネジ止めする連結板１４とで形成され、該連結板１４の左右にそれぞれ複数個のネジ孔１１を縦並びに設けると共に該ネジ孔１１を縦長孔状に開穿し、一方、前記側板２０は、側板２０の内側に屈曲形成された周囲縁２２を設け、該周囲縁２２に、取付枠１０、側板２０、底板３０、上蓋４０、前蓋５０、の各ネジ孔に対応するネジ孔２１が開穿され、後部周囲縁２２Ａの内側に、取付枠１０の連結板１４を重合してネジ止めするように設けている。
【００１０】
第３の手段の前記底板３０は、前記側板２０の下部周囲縁２２Ｂ上に載置する係止片３２を有した平面略コ字状に形成され、該係止片３２を下部周囲縁２２Ｂ上にネジ止めした後、前記前蓋５０を側板２０の前部周囲縁２２Ｃにネジ止めするように設ける。
【００１１】
第４の手段の前記上蓋４０は、上蓋４０の下側に屈曲形成された周囲縁４２を設け、該周囲縁４２にて、取付枠１０、側板２０、前蓋５０の上端部を取り囲むように嵌合し、上蓋４０の上面と側板２０の上部周囲縁２２Ｄとをネジ止めするように設けたことを課題解消のための手段とする。
【発明の効果】
【００１２】
本発明の請求項１によると、ハト小屋Ｐの壁面Ｐ１へ固定する取付枠１０に左右の側板２０の端部とネジ止めするネジ孔１１を複数個開穿し、該ネジ孔１１のいずれかひとつを切り欠き状に設けて切欠きネジ孔１２を形成すると共に、該切欠きネジ孔１２にネジ止めする位置の側板２０端部のネジ孔２１に、予め連結ボルト１と板ナット３とを装着し、該連結ボルト１を切欠きネジ孔１２に側面からスライド挿入するように設けたことにより、ハト小屋の壁面に装着するフードボックスの装着作業を簡略化して、一人の作業員でも安全且つ容易に行うことができるものである。
【００１３】
請求項２により、取付枠１０の連結板１４の左右にそれぞれ複数個のネジ孔１１を縦並びに設けると共に該ネジ孔１１を縦長孔状に開穿しているので、ネジ孔２１とのズレを吸収し、側板２０の装着作業をより簡略化することができる。この結果、一人での装着作業を更に容易にすることができる。しかも、側板２０の周囲縁２２に、取付枠１０、側板２０、底板３０、上蓋４０、前蓋５０、の各ネジ孔に対応するネジ孔２１が開穿され、後部周囲縁２２Ａの内側に、取付枠１０の連結板１４を重合してネジ止めするように設けているので、取付枠１０と側板２０との連結部分の防水性能を高め、屋上防水対策を確実に実現することが可能になる。
【００１４】
請求項３により、底板３０に、前記側板２０の下部周囲縁２２Ｂ上に載置する係止片３２を設けて平面略コ字状に形成し、該底板３０を下部周囲縁２２Ｂ上にネジ止めした後、前記前蓋５０を側板２０の前部周囲縁２２Ｃにネジ止めするように設けているので、側板２０と底板３０との連結部分の防水性能を高め、屋上防水対策を確実に実現することが可能になる。
【００１５】
請求項４により、上蓋４０の周囲縁４２にて、取付枠１０、側板２０、前蓋５０の上端部を取り囲むように嵌合し、上蓋４０の上面と側板１０の上部周囲縁２２Ｄとをネジ止めするように設けたことにより、各部材の連結部分の防水性能を高め、屋上防水対策を確実に実現することが可能になる。
【００１６】
このように、本発明によると、ハト小屋の壁面に装着するフードボックスの装着作業を簡略化して、一人の作業員でも安全且つ容易に行うことができ、しかも、確実な屋上防水対策を実現するといった種々の効果を奏するものである。
【発明を実施するための最良の形態】
【００１７】
本発明フードボックスの最良の形態は、取付枠１０、側板２０、底板３０、上蓋４０、前蓋５０、を有する屋上設置用フードボックスを形成する。壁面Ｐ１へ固定する取付枠１０に左右の側板２０の端部とネジ止めするネジ孔１１を複数個開穿する。該ネジ孔１１のいずれかひとつを切り欠き状に設けて切欠きネジ孔１２を形成する。該切欠きネジ孔１２にネジ止めする位置の側板２０端部のネジ孔２１に、予め連結ボルト１を装着し、該連結ボルト１を切欠きネジ孔１２に側面からスライド挿入するように設ける。取付枠１０は、アンカーボルト２にて壁面Ｐ１に固定する断面略Ｌ字形状を成した当て板１３と、該当て板１３に固着され、壁面Ｐ１から離れた位置で前記側板２０をネジ止めする連結板１４とで形成する。該連結板１４の左右にそれぞれ複数個のネジ孔１１を縦並びに設ける。該ネジ孔１１を縦長孔状に開穿する。一方、前記側板２０は、側板２０の内側に屈曲形成された周囲縁２２を設け、該周囲縁２２に、取付枠１０、側板２０、底板３０、上蓋４０、前蓋５０、の各ネジ孔に対応するネジ孔２１が開穿され、後部周囲縁２２Ａの内側に、取付枠１０の連結板１４を重合してネジ止めするように設けることで、当初の目的を達成するものである。
【実施例】
【００１８】
以下、本発明の一実施例を説明する。本発明フードボックスの基本構成は、取付枠１０、側板２０、底板３０、上蓋４０、前蓋５０からなるものである（図２参照）。
【００１９】
取付枠１０は、ハト小屋Ｐの壁面Ｐ１へ固定する部材で、当て板１３と連結板１４とで構成される（図３参照）。当て板１３は、アンカーボルト２にて壁面Ｐ１に固定する断面略Ｌ字形状を成した部材である（図５参照）。一方、連結板１４は、当て板１３の内側に溶接され壁面Ｐ１から離れた位置で前記側板２０をネジ止めする部材である。
【００２０】
この連結板１４の左右にそれぞれ縦長孔状のネジ孔１１を縦並びに複数個設けている（図３参照）。そして、該ネジ孔１１のいずれかひとつを切り欠き状に設けて切欠きネジ孔１２を形成する。図示の切欠きネジ孔１２は、平面略Ｕ字形状を成している。この他、平面略Ｌ字形状や、略鍵穴形状等の形状に切欠きネジ孔１２を変更することも可能である。また、図示例では、縦並び中央に切欠きネジ孔１２を配しているが、切欠きネジ孔１２の位置は図示例に限られるものではなく、他のネジ孔１１の位置に変更することも可能である。尚、図中符号１５はアンカー孔である。
【００２１】
側板２０は、取付枠１０の連結板１４にネジ止めする部材である（図２参照）。この側板２０に、側板２０の内側に屈曲された周囲縁２２を設けている。そして、この周囲縁２２に、取付枠１０、底板３０、上蓋４０、前蓋５０、に開穿した各ネジ孔に対応するネジ孔２１が開穿されており、それぞれの構成材を連結ボルト１で連結するものである。このとき、後部周囲縁２２のネジ孔２１のうち、取付枠１０の切欠きネジ孔１２に当るネジ孔２１に、予め連結ボルト１や板ナット３、座金４を装着しておく（図４参照）。そして、後部周囲縁２２Ａの内側に取付枠１０の連結板１４を重合する際に、この連結ボルト１の側面から切欠きネジ孔１２に連結ボルト１をスライド挿入して、側板２０の仮止めをするものである。この状態で、残る側板２０のネジ孔２１と取付枠１０のネジ孔１１とを連結ボルト１で連結する。
【００２２】
また、側板２０の周囲縁２２には、他の部材も連結する。たとえば、下部周囲縁２２Ｂには、後述する底板３０を載置後、連結ボルト１にてネジ止めする（図６参照）。また、前部周囲縁２２Ｃには、後述する前蓋５０をネジ止めするものである（図７参照）。
【００２３】
底板３０は、平面略コ字状に形成され、前記側板２０の下部周囲縁２２Ｂ上に載置する係止片３２を設けている（図６参照）。そして、周囲縁２２の前方下部に設けたスリット部２２Ｅから係止片３２を差込んで下部周囲縁２２Ｂ上に載置後ネジ止めする。図示の底板３０は、下部周囲縁２２Ｂ上にネジ止めした後、この底板３０の前部周囲縁２２Ｃに前蓋５０をネジ止めするものである。図示の底板３０には、下方に延長される底部ソケット３３を設けてあり、雨水の巻き込み侵入を防止している。
【００２４】
上蓋４０は、取付枠１０、側板２０、前蓋５０の上端部に配置するもので、上蓋４０の下側に周囲縁４２を屈曲形成し、該周囲縁４２にて、各部材の上端部を取り囲むように嵌合する（図８参照）。そして、上蓋４０の上面と側板２０の上部周囲縁２２Ｄとを連結ボルト１にてネジ止めする。
【００２５】
本発明フードボックスの施工手順は、次のとおりである。まず、ハト小屋がコンクリート製の場合、壁面へ位置を決めた後、アンカーボルト２で取付枠１０を固定する（図４参照）。次に、取付枠１０の切欠きネジ孔１２に、側板２０の後部周囲縁２２Ａに装着した連結ボルト１を仮止めしながら側板２０を装着する。このとき、連結ボルト１、板ナット３、座金４を使用する（図５参照）。更に、底板３０の係止片３２を、側板２０のスリット部２２Ｅから下部周囲縁２２Ｂ上にスライド載置した後、連結ボルト１と座金４で固定する（図６参照）。その後、必要な配管・配線作業を行った後、前蓋５０と上蓋４０とを取り付け（図７、８参照）、最後に壁面Ｐ１と取付枠１０との間にコーキング処理を施して終了するものである（図１参照）。本発明フードボックスをこのように組み付けることで、止水効果が高く屋上防水対策を確実にする。
【００２６】
尚、本発明は、図示例に限定されるものではなく、取付枠１０、側板２０、底板３０、上蓋４０、前蓋５０の形状、寸法等の設計変更などは、本発明の要旨を変更しない範囲において自由に変更できるものである。
【図面の簡単な説明】
【００２７】
【図１】本発明の使用状態を示す斜視図である。
【図２】本発明の一実施例を示す分解斜視図である。
【図３】本発明の取付枠の一実施例を示す正面図である。
【図４】本発明の側板の装着状態を示す斜視図である。
【図５】本発明の側板の装着状態を示す側面図である。
【図６】本発明の底板の装着状態を示す斜視図である。
【図７】本発明の前蓋の装着状態を示す斜視図である。
【図８】本発明の上蓋の装着状態を示す斜視図である。
【符号の説明】
【００２８】
Ｐ  ハト小屋
Ｐ１  壁面
１  連結ボルト
２  アンカーボルト
３  板ナット
４  座金
１０  取付枠
１１  ネジ孔
１２  切欠きネジ孔
１３  当て板
１４  連結板
１５  アンカー孔
２０  側板
２１  ネジ孔
２２  周囲縁
２２Ａ  後部周囲縁
２２Ｂ  下部周囲縁
２２Ｃ  前部周囲縁    
２２Ｄ  上部周囲縁
２２Ｅ  スリット部
３０  底板
３１  ネジ孔
３２  係止片
３３  底部ソケット
４０  上蓋
４１  ネジ孔  
４２  周囲縁
５０  前蓋
５１  ネジ孔
【図１】
2008127797.tif 000003
【図２】
2008127797.tif 000004
【図３】
2008127797.tif 000005
【図４】
2008127797.tif 000006
【図５】
2008127797.tif 000007
【図６】
2008127797.tif 000008
【図７】
2008127797.tif 000009
【図８】
2008127797.tif 000010